(57)【要約】【課題】材料コストの増大や生産性の低下を招くことなく、駆動回路部から外部への電磁波ノイズの放射や、外部から駆動回路部への電磁波ノイズの侵入を防止することのできる電気光学装置、および当該電気光学装置を備えた電子機器を提供すること。【解決手段】電気光学装置において、素子基板１０に接続されたフレキシブル基板５０は、素子基板１０の表面側１０ａで駆動用ＩＣ４１に平面視で重なるように平伏する第２矩形部分５４を有するとともに、かかる第２矩形部分５４には駆動用ＩＣ４１と平面視で重なる電磁シールド用の導電パターン５７がベタパターンとして形成されている。導電パターン５７には、グランド配線５９ａが繋がっており、導電パターン５７はグランド電位に保持される。【選択図】図３
2009192976.tif 000002
【特許請求の範囲】
【請求項１】
複数の画素を駆動するための駆動回路部を備えた素子基板と、該素子基板に接続され、前記駆動回路部に電気的に接続された配線が形成されたフレキシブル基板と、を有する電気光学装置において、
前記フレキシブル基板は、前記素子基板において前記駆動回路部が形成されている表面側で前記駆動回路部に平面視で重なる表面側重なり部分を備え、当該表面側重なり部分には前記駆動回路部に平面視で重なる電磁シールド用の第１導電パターンが形成されていることを特徴とする電気光学装置。
【請求項２】
前記第１導電パターンは、前記フレキシブル基板に形成されたグランド配線に電気的に接続していることを特徴とする請求項１に記載の電気光学装置。
【請求項３】
前記第１導電パターンは、ベタパターンとして形成されていることを特徴とする請求項１または２に記載の電気光学装置。
【請求項４】
前記フレキシブル基板において、前記素子基板に接続された端子が形成されている側を第１面側とし、その反対側の面を第２面側としたとき、
前記第１導電パターンは、前記第１面側で前記端子と同層に形成されていることを特徴とする請求項１乃至３の何れか一項に記載の電気光学装置。
【請求項５】
前記フレキシブル基板において、前記素子基板に接続された端子が形成されている側を第１面側とし、その反対側の面を第２面側としたとき、
前記第１導電パターンは、前記端子より前記第２面側で当該端子と別層に形成されていることを特徴とする請求項１乃至３の何れか一項に記載の電気光学装置。
【請求項６】
前記フレキシブル基板は、前記素子基板において前記駆動回路部が形成されている側とは反対側の裏面側で前記駆動回路部に平面視で重なる裏面側重なり部分を備え、
当該裏面側重なり部分には、前記駆動回路部に平面視で重なるベタの第２導電パターンが形成されていることを特徴とする請求項１乃至５の何れか一項に記載の電気光学装置。
【請求項７】
前記素子基板の前記表面側において、前記駆動回路部が形成されている部分の表示領域側の側方には、当該素子基板に貼り合わされた別基板の縁部分によって段部が形成されており、
前記表面側重なり部分の縁部分は、前記段部に沿って延在していることを特徴とする請求項１乃至６の何れか一項に記載の電気光学装置。
【請求項８】
前記表面側重なり部分は、前記素子基板に対して部分的に接着されていることを特徴とする請求項１乃至７の何れか一項に記載の電気光学装置。
【請求項９】
前記フレキシブル基板は、前記表面側重なり部分の端部に、前記素子基板の裏面側に折り曲げられて当該裏面側に接着された接着用折曲部分を備えていることを特徴とする請求項１乃至８の何れか一項に記載の電気光学装置。
【請求項１０】
前記素子基板の前記表面側において前記駆動回路部が形成されている部分は、前記素子基板が収容された筐体の上板部で覆われ、
前記駆動回路部と前記筐体の上板部との間に隙間が空いているとともに、当該隙間内に前記表面側重なり部分が配置されていることを特徴とする請求項１乃至９の何れか一項に記載の電気光学装置。
【請求項１１】
前記素子基板には、前記複数の画素の各々に画素トランジスタおよび画素電極が形成されているとともに、
当該素子基板と、該素子基板に対向配置された別基板との間に液晶が保持されていることを特徴とする請求項１乃至１０の何れか一項に記載の電気光学装置。
【請求項１２】
前記素子基板上には、前記複数の画素の各々に画素トランジスタおよび有機エレクトロルミネッセンス素子が形成されていることを特徴とする請求項１乃至１０の何れか一項に記載の電気光学装置。
【請求項１３】
請求項１乃至１２の何れか一項に記載の電気光学装置を備えていることを特徴とする電子機器。
【発明の詳細な説明】
【技術分野】
【０００１】
本発明は、表面側に駆動回路部を備えた素子基板にフレキシブル基板が接続された電気光学装置、および当該電気光学装置を備えた電子機器に関するものである。
【背景技術】
【０００２】
液晶装置、有機エレクトロルミネッセンス装置、プラズマ表示装置などといった電気光学装置はいずれも、複数の画素が配列された素子基板を備えている。また、素子基板は、複数の画素を駆動する駆動回路部を表面側に備えているとともに、素子基板には、駆動回路部にグランド電位や各種信号を入力するためのフレキシブル基板が接続されている。
【０００３】
このような電気光学装置では、駆動回路部から外部へのノイズの放射や、外部から駆動回路部へのノイズの侵入が問題となる。そこで、駆動回路部と平面視で重なる領域にシールドテープを貼って電磁波ノイズの問題を解消することが提案されている。
【０００４】
また、駆動回路部を覆うように導電性の微粒子を含む塗料を塗布した構成や、板金シールドで覆う構成が提案されている（特許文献１参照）。
【特許文献１】特開２００１−１２７２１１号公報
【発明の開示】
【発明が解決しようとする課題】
【０００５】
しかしながら、シールドテープ、導電性の微粒子を含む塗料、板金シールドのいずれを採用した場合でも、別部材を素子基板に設ける必要があるため、材料コストの増大および生産性の低下を招くという問題点がある。また、これらの部材をグランド電位に保持するには、配線材などを追加する必要があり、その点でも材料コストの増大および生産性の低下を招くという問題点がある。
【０００６】
以上の問題点に鑑みて、本発明の課題は、材料コストの増大や生産性の低下を招くことなく、駆動回路部から外部への電磁波ノイズの放射や、外部から駆動回路部への電磁波ノイズの侵入を防止することのできる電気光学装置、および当該電気光学装置を備えた電子機器を提供することにある。
【課題を解決するための手段】
【０００７】
上記課題を解決するために、本発明では、複数の画素を駆動するための駆動回路部を備えた素子基板と、該素子基板に接続され、前記駆動回路部に電気的に接続された配線が形成されたフレキシブル基板と、を有する電気光学装置において、前記フレキシブル基板は、前記素子基板において前記駆動回路部が形成されている表面側で前記駆動回路部に平面視で重なる表面側重なり部分を備え、当該表面側重なり部分には前記駆動回路部に平面視で重なる電磁シールド用の第１導電パターンが形成されていることを特徴とする。
【０００８】
本発明では、素子基板に接続されたフレキシブル基板は、素子基板の表面側で駆動回路部に平面視で重なるように平伏する表面側重なり部分を有するとともに、かかる表面側重なり部分には駆動回路部と平面視で重なる電磁シールド用の第１導電パターンが形成されている。このため、駆動回路部から外部への電磁波ノイズの放射や、外部から駆動回路部への電磁波ノイズの侵入を防止することができる。また、本発明では、かかるノイズ対策を行なうにあたって、素子基板に接続されたフレキシブル基板の一部を利用しているため、新たな部材を追加する必要がない。また、フレキシブル基板に形成された第１導電パターンであれば、グランド電位などといった定電位を印加するのに多大な工数を必要としない。それ故、本発明によれば、材料コストの増大や生産性の低下を招くことなく、駆動回路部から外部への電磁波ノイズの放射や、外部から駆動回路部への電磁波ノイズの侵入を防止することができる。また、素子基板の表面側に強い光が入射するような条件下であっても、かかる光の入射を第１導電パターンで阻止することができるので、駆動回路部の誤動作を防止することができる。
【０００９】
本発明において、前記第１導電パターンは、定電位に保持されていることが好ましく、定電位に保持するにあたっては、前記第１導電パターンは、前記フレキシブル基板に形成されたグランド配線に電気的に接続していることが好ましい。
【００１０】
本発明において、前記第１導電パターンは、駆動回路部から外部への電磁波ノイズの放射や、外部から駆動回路部への電磁波ノイズの侵入を防止することができれば、ストライプ状や格子状に形成されていてもよいが、最も好ましい形態は、ベタパターンである。
【００１１】
本発明では、前記フレキシブル基板において、前記素子基板に接続された端子が形成されている側を第１面側とし、その反対側の面を第２面側としたとき、前記第１導電パターンは、前記第１面側で前記端子と同層に形成されていることが好ましい。このように構成すると、片面側のみに導電層が形成された安価なフレキシブル基板を用いることができる。
【００１２】
本発明では、前記フレキシブル基板において、前記素子基板に接続された端子が形成されている側を第１面側とし、その反対側の面を第２面側としたとき、前記第１導電パターンは、前記端子より前記第２面側で当該端子と別層に形成されている構成を採用してもよい。このように構成すると、第１面側に端子と同層に形成された配線と重なる領域に第１導電パターンを形成することができ、かかる構成によれば、配線から外部への電磁波ノイズの放射や、外部から配線への電磁波ノイズの侵入を防止することができる。
【００１３】
本発明において、前記フレキシブル基板は、前記素子基板において前記駆動回路部が形成されている側とは反対側の裏面側で前記駆動回路部に平面視で重なるように平伏する裏面側重なり部分を備え、当該裏面側重なり部分には、前記駆動回路部に平面視で重なるベタの第２導電パターンが形成されていることが好ましい。このように構成すると、駆動回路部から素子基板の裏面側に向けての電磁波ノイズの放射や、素子基板の裏面側から駆動回路部への電磁波ノイズの侵入を防止することができる。また、素子基板の裏面側に強い光が入射するような条件下であっても、かかる光の入射を第２導電パターンで阻止することができるので、駆動回路部の誤動作を防止することができる。
【００１４】
本発明では、前記素子基板の前記表面側において、前記駆動回路部が形成されている部分の表示領域側の側方には、当該素子基板に貼り合わされた別基板の縁部分によって段部が形成されており、前記表面側重なり部分の縁部分は、前記段部に沿って延在していることが好ましい。このように構成すると、素子基板の表面側に形成された段部によって表面側重なり部分の位置決めを行なうことができる。
【００１５】
本発明において、前記表面側重なり部分は、前記素子基板に対して部分的に接着されていることが好ましい。このように構成すると、表面側重なり部分を素子基板に接着固定した後、全面接着した場合と違って、表面側重なり部分を素子基板から容易に剥がすことができるので、リワーク性が高い。
【００１６】
本発明において、前記フレキシブル基板は、前記表面側重なり部分の端部に、前記素子基板の裏面側に折り曲げられて当該裏面側に接着された接着用折曲部分を備えていることが好ましい。このように構成すると、表面側重なり部分が素子基板の表面側で浮き上がることを確実に防止することができる。
【００１７】
本発明では、前記素子基板の表面側において前記駆動回路部が形成されている部分は、前記素子基板が収容された筐体の上板部で覆われ、前記駆動回路部と前記筐体の上板部との間に隙間が空いているとともに、当該隙間内に前記表面側重なり部分が配置されていることが好ましい。このように構成すると、素子基板において前記駆動回路部が形成されている部分は、前記表面側重なり部分を介して前記筐体の上板部に支持され、補強された状態となるので、素子基板において前記駆動回路部が形成されている部分を衝撃から保護することができる。
【００１８】
本発明を適用した電気光学装置は、液晶装置、有機エレクトロルミネッセンス装置、プラズマ表示装置などとして構成される。これらの電気光学装置のうち、液晶装置の場合、前記素子基板には、前記複数の画素の各々に画素トランジスタおよび画素電極が形成されているとともに、当該素子基板と、該素子基板に対向配置された別基板との間に液晶が保持されている構成を有している。また、有機エレクトロルミネッセンス装置の場合、前記素子基板上には、前記複数の画素の各々に画素トランジスタおよび有機エレクトロルミネッセンス素子が形成されている構成を有している。
【００１９】
本発明を適用した電気光学装置は、例えばパーソナルコンピュータ、携帯電話機、情報携帯端末等の電子機器に用いることができる。
【発明を実施するための最良の形態】
【００２０】
以下に、図面を参照して本発明について説明する。なお、以下の説明で参照する図においては、各層や各部材を図面上で認識可能な程度の大きさとするため、各層や各部材毎に縮尺を異ならしめてある。
【００２１】
［実施の形態１］
（電気光学装置の構成）
図１は、本発明を適用した電気光学装置（液晶装置）の電気的構成を示すブロック図である。図１に示す電気光学装置１００は液晶装置であり、液晶パネルからなる電気光学パネル１００ｐを備えている。電気光学パネル１００ｐの中央領域は画素領域１００ｂになっており、画素領域１００ｂの内側には、複数本のデータ線１６ａおよび複数本の走査線１３ａが縦横に延びている。また、複数本のデータ線１６ａと複数本の走査線１３ａとの各交点に対応する位置には画素１００ａが構成されており、複数の画素１００ａの各々には、画素スイッチング素子としての薄膜トランジスタ１５および画素電極１９が形成されている。薄膜トランジスタ１５のソースにはデータ線１６ａが電気的に接続され、薄膜トランジスタ１５のゲートには走査線１３ａが電気的に接続され、薄膜トランジスタ１５のドレインには画素電極１９が電気的に接続されている。画素電極１９は、後述する対向基板に形成された共通電極と液晶を介して対向し、液晶容量１２を構成している。なお、共通電極は、画素電極と同様、素子基板上に形成される場合もある。各画素１００ａには、液晶容量１２で保持される画像信号がリークするのを防ぐために、液晶容量１２と並列に保持容量１７が付加されている。本形態では、保持容量１７を構成するために、走査線１３ａと並列するように容量線１３ｂが形成されており、かかる容量線１３ｂには共通電位が印加されている。なお、保持容量１７は前段の走査線１３ａとの間に形成される場合もある。
【００２２】
電気光学装置１００において、電気光学パネル１００ｐ上にはデータ線駆動回路４２および走査線駆動回路４３が配置されている。データ線駆動回路４２は、データ線１６ａに電気的に接続しており、画像信号を各データ線１６ａに順次供給する。走査線駆動回路４３は、走査線１３ａに電気的に接続しており、走査信号を各走査線１３ａに順次供給する。データ線駆動回路４２および走査線駆動回路４３などの駆動回路部は、後述する素子基板上に半導体プロセスを利用して形成された構成や、素子基板上に実装された１乃至複数の駆動用ＩＣに形成された構成が採用される。
【００２３】
以下に説明する実施の形態１〜８において、駆動回路部としてのデータ線駆動回路４２および走査線駆動回路４３は、共通の駆動用ＩＣ４１に形成され、実施の形態９において、データ線駆動回路４２および走査線駆動回路４３は半導体プロセスを利用して素子基板上に構成されている。
【００２４】
なお、電気光学パネル１００ｐが透過型液晶パネルあるいは半透過反射型の液晶パネルである場合、電気光学パネル１００ｐの背面側にはバックライト装置７０が配置され、電気光学パネル１００ｐが反射型液晶パネである場合、バックライト装置７０は省略される。
【００２５】
（電気光学装置の具体的構成）
図２（ａ）、（ｂ）、（ｃ）は、本発明の実施の形態１に係る電気光学装置において、電気光学パネルにフレキシブル基板を接続した状態の説明図、フレキシブル基板の表面側重なり部分を素子基板上に平伏させる前の状態を示す説明図、およびフレキシブル基板を抜き出して示す説明図である。図３（ａ）、（ｂ）、（ｃ）、（ｄ）は、本発明の実施の形態１に係る電気光学装置に用いた電気光学パネルの構成を示す説明図、フレキシブル基板を第２面側からみた説明図、フレキシブル基板の断面図、および素子基板の張り出し部分周辺の断面図である。なお、図３（ｂ）では、フレキシブル基板の第１面側に配線や導電パターンが形成されているので、配線や導電パターンについては点線で示してある。また、図２および図３では、偏光板や位相差板などの光学部品の図示を省略してある。
【００２６】
本形態の電気光学装置１００は、具体的には、図２（ａ）、（ｂ）、（ｃ）、および図３（ａ）、（ｂ）、（ｃ）、（ｄ）に示すように構成される。図２（ａ）、（ｂ）および図３（ａ）、（ｄ）において、電気光学装置１００は、所定の隙間を介して素子基板１０と対向基板２０とがシール材３５によって貼り合わされた電気光学パネル１００ｐと、電気光学パネル１００ｐに接続されたフレキシブル基板５０とを備えており、本形態において、電気光学パネル１００ｐは、対向基板２０が表面側（表示光が出射される側）に位置するように配置されている。本形態において、電気光学パネル１００ｐは、透過型あるいは半透過反射型の液晶パネルであるため、電気光学パネル１００ｐの裏面側には、バックライト装置７０（図２（ａ）参照）が配置されている。
【００２７】
電気光学パネル１００ｐにおいて、素子基板１０と対向基板２０との間では、シール材３５で囲まれた領域に液晶３０が保持され、液晶３０は、例えば一種または数種のネマティック液晶を混合したものなどからなる。図示を省略するが、画素領域１００ｂでは、素子基板１０の側にＩＴＯ（Indium Tin Oxide）膜などからなる画素電極や、薄膜トランジスタからなる画素トランジスタなどが形成され、対向基板２０の側には、ＩＴＯ膜からなる共通電極や、カラーフィルタなどが形成されている。シール材３５は、光硬化樹脂や熱硬化性樹脂などからなる接着剤であり、両基板間の距離を所定値とするためのグラスファイバー、あるいはガラスビーズ等のギャップ材が配合されている。
【００２８】
素子基板１０は、対向基板２０よりもサイズが大きく、対向基板２０の端部から張り出す張り出し部分１１を備えている。素子基板１０において、張り出し部分１１の表面側には駆動用ＩＣ４１がＣＯＧ（Chip On Glass）実装されており、駆動用ＩＣ４１から画素領域１００ｂに向けて配線（図１に示すデータ線１６ａおよび走査線１３ａ）が延在している。素子基板１０の張り出し部分１１において、駆動用ＩＣ４１が実装されている領域の近傍では基板辺に沿って複数のパッド１８が形成されており、かかるパッド１８の形成領域に対して、フレキシブル（ＦＰＣ／Flexible Printed Circuits）基板５０が接続されている。パッド１８と駆動用ＩＣ４１との間には、複数の信号線や定電位線などの配線が形成されており、フレキシブル基板５０を介して、駆動用ＩＣ４１には各種信号や定電位が入力される。以下、素子基板１０において駆動用ＩＣ４１が実装されている側を表面側１０ａとし、その反対側を裏面側１０ｂとして説明する。
【００２９】
（フレキシブル基板５０の構成）
図２（ａ）、（ｂ）、（ｃ）および図３（ｂ）に示すように、フレキシブル基板５０は、素子基板１１に接続される矩形部分（第１矩形部分５１）から帯状の連結部分５２が延在し、連結部分５２の端部からは帯状部分５３が延在している。図３（ｂ）、（ｃ）に示すように、フレキシブル基板５０において、素子基板１１に接続された端子５８が形成されている側を第１面側５０ａとし、その反対側の面を第２面側５０ｂとしたとき、フレキシブル基板５０では、ポリイミドなどの絶縁樹脂からなるフィルム状基材５０１の第１面側５０ａに、銅箔や銅膜などによって複数の配線５９が形成されており、複数の配線５９において第１矩形部分５１の端部に位置する部分が端子５８になっている。配線５９は、端子５８から第１矩形部分５１および連結部分５２を通って帯状部分５３の先端まで延在している。また、フレキシブル基板５０の第１面側５０ａにおいて、第１矩形部分５１には、配線５９に接続するように電子部品６１が実装されているとともに、帯状部分５３の先端部には配線５９に電気的に接続されたコネクタ６２が実装されている。配線５９は、電子部品６１が実装されたランドを除いて表面が絶縁保護膜５０２によって覆われているが、端子５８は絶縁保護膜５０２から露出している。
【００３０】
図２（ａ）、（ｂ）、（ｃ）および図３（ｂ）、（ｄ）において、フレキシブル基板５０は、第１矩形部分５１の端部と素子基板１０の張り出し部分１１の端部とが同一方向に向くように重ねられ、この状態で、第１矩形部分５１の端子５８と素子基板１０のパッド１８とが接続される。また、フレキシブル基板５０は、一点鎖線で示す３本の谷折線Ｌ１１（図３（ｂ）参照）に沿って、第１面側５０ａが外側になるように折り曲げられる。その結果、第１矩形部分５１は、素子基板１０の裏面側１０ｂに沿うように折り曲げられ、素子基板１０の裏面側１０ｂにおいて、駆動用ＩＣ４１の実装領域を含む張り出し部分１１の全体に対して平面視で重なるように平伏する裏面側重なり部分となる。この状態で、電子部品６１は、素子基板１０が位置する側とは反対側に向き、フレキシブル基板５０の第１矩形部分５１は、素子基板１０の裏面側１０ｂに重なる。そして、帯状部分５３が素子基板１０の表面側１０ａにくるように、一点鎖線で示す谷折線Ｌ１２（図３（ｂ）参照）で連結部分５２が折り曲げられる。その結果、帯状部分５３は、素子基板１０の表面側１０ａで延在した状態となる。ここで、帯状部分５３で延在している配線５９と駆動用ＩＣ４１との互いの影響を避けるという観点から、帯状部分５３については、駆動用ＩＣ４１と重ならないように配置されている。
【００３１】
（電磁波ノイズ対策）
このように構成した電気光学装置１００において、本形態では、フレキシブル基板５０の連結部分５２からは、第１矩形部分５１とは反対側に第２矩形部分５４が延在しており、かかる第２矩形部分５４は、素子基板１０の表面側１０ａにおいて、駆動用ＩＣ４１の実装領域を含む張り出し部分１１の全体に対して平面視で重なるように平伏する表面側重なり部分となる。また、フレキシブル基板５０において、第２矩形部分５４には、その略全体にわたって、配線５９や端子５８と同層の導電パターン５７（電磁シールド用の第１導電パターン）がベタに形成されている。このため、導電パターン５７は、素子基板１０の表面側１０ａにおいて駆動用ＩＣ４１の実装領域を含む張り出し部分１１の略全体に対して平面視で重なることになる。
【００３２】
ここで、導電パターン５７は、図３（ｃ）に示すように、端子５８や配線５９と同様、フィルム状基材５０１の第１面側５０ａに形成されており、端子５８および配線５９と同層である。また、導電パターン５７は、フレキシブル基板５０に形成された複数の配線５９のうち、グランド配線５９ａ（図３（ｂ）参照）に繋がっている。このため、導電パターン５７はグランド電位に保持される結果、駆動用ＩＣ４１に対する電磁シールド効果を発揮する。なお、図３（ｄ）に示すように、フレキシブル基板５０を素子基板１０に接続した状態で、導電パターン５７は、第２矩形部分５４において駆動用ＩＣ４１が位置する方とは反対側に位置している。
【００３３】
素子基板１０の表面側１０ａにおいて、駆動用ＩＣ４１に対して画像表示領域が位置する側の側方では、対向基板２０の縁部分によって段部２０ａが形成されており、第２矩形部分５４の縁部分５４ａは段部２０ａに接している。このため、素子基板１０の表面側１０ａに形成された段部２０ａによって第２矩形部分５４の位置決めを行なうことができる。なお、第２矩形部分５４の縁部分５４ａについては段部２０ａに当接させなくても、段部２０ａに隙間を介して沿うように第２矩形部分５４の縁部分５４ａを平行に位置決めした場合も、第２矩形部分５４を所定位置に配置することができる。
【００３４】
ここで、第２矩形部分５４は、素子基板１０に対して全面接着した構造、あるいは素子基板１０に対して部分的に接着した構造が採用される。本形態では、第２矩形部分５４の一部、例えば、角部分５４ｅ、５４ｆのみが素子基板１０に対して接着されている。このため、第２矩形部分５４を素子基板１０に対して全面接着した場合と違って、第２矩形部分５４を素子基板１０に接着固定する際、あるいは接着固定した際に不具合が発生した場合には、第２矩形部分５４を素子基板１０から容易に剥がすことができるので、リワーク性が高い。
【００３５】
（本形態の主な効果）
以上説明したように、本形態の電気光学装置１００において、素子基板１０に接続されたフレキシブル基板５０は、素子基板１０の表面側１０ａで駆動用ＩＣ４１（駆動回路部）に平面視で重なるように平伏する第２矩形部分５４（表面側重なり部分）を有するとともに、かかる第２矩形部分５４には駆動用ＩＣ４１と平面視で重なる電磁シールド用の導電パターン５７（第１導電パターン）が形成されている。このため、駆動用ＩＣ４１から外部への電磁波ノイズの放射や、外部から駆動用ＩＣ４１への電磁波ノイズの侵入を防止することができる。また、かかる電磁波ノイズ対策を行なうにあたって、本形態では、素子基板１０に接続されたフレキシブル基板５０の一部を利用しているため、新たな部材を追加する必要がない。また、フレキシブル基板５０に形成された導電パターン５７であれば、フレキシブル基板５０において導電パターン５７とグランド配線５９ａとを繋げておけばよいので、導電パターン５７にグランド電位を印加するのに多大な工数を必要としない。それ故、本形態によれば、材料コストの増大や生産性の低下を招くことなく、駆動用ＩＣ４１から外部への電磁波ノイズの放射や、外部から駆動用ＩＣ４１への電磁波ノイズの侵入を防止することができる。
【００３６】
また、素子基板１０の表面側１０ａに強い光が入射するような条件下であっても、かかる光の入射を導電パターン５７で阻止することができるので、駆動用ＩＣ４１の誤動作を防止することができる。
【００３７】
［実施の形態２］
図４（ａ）、（ｂ）、（ｃ）、（ｄ）は、本発明の実施の形態２に係る電気光学装置に用いた電気光学パネルの構成を示す説明図、フレキシブル基板を第２面側からみた説明図、フレキシブル基板の断面図、および素子基板の張り出し部分周辺の断面図である。なお、図４（ｂ）では、フレキシブル基板５０の第１面側５０ａに配線５９が形成されているので、配線５９については点線で示してある。また、本形態の基本的な構成は、実施の形態１と同様である。従って、本形態の電気光学装置を説明するにあたっては、全体構成については図２を参照して説明するとともに、実施の形態１と共通する部分には、同一の符号を付してそれらの説明を省略する。
【００３８】
図２（ａ）、（ｂ）および図４（ａ）、（ｂ）、（ｄ）に示すように、本形態の電気光学装置１００でも、実施の形態１と同様、電気光学パネル１００ｐを構成する素子基板１０の表面側１０ａにおいて、張り出し部分１１には駆動用ＩＣ４１がＣＯＧ実装されており、パッド１８の形成領域に対してフレキシブル基板５０が接続されている。
【００３９】
フレキシブル基板５０では、第１矩形部分５１（裏面側重なり部分）から連結部分５２が延在し、連結部分５２の先端部分から帯状部分５３が延在している。また、フレキシブル基板５０では、連結部分５２から、第１矩形部分５１とは反対側に第２矩形部分５４（表面側重なり部分）が延在している。ここで、第２矩形部分５４には、その略全体にわたって導電パターン５７がベタに形成されている。
【００４０】
図４（ｃ）に示すように、本形態において、フレキシブル基板５０では、フィルム状基材５０１の第１面側５０ａに、銅箔や銅膜などによって複数の配線５９および端子５８が形成されており、配線５９の上層側には絶縁保護膜５０２が形成されている。但し、本形態では、実施の形態１と違って、導電パターン５７は、端子５８や配線５９より第２面側５０ｂで端子５８や配線５９とは別層に形成されている。すなわち、フレキシブル基板５０において、フィルム状基材５０１の第２面側５０ｂに、銅箔や銅膜などによって導電パターン５７が形成され、その上層側には絶縁保護膜５０３が形成されている。このため、図４（ｄ）に示すように、フレキシブル基板５０を素子基板１０に接続した状態では、導電パターン５７は、第２矩形部分５４において駆動用ＩＣ４１が位置する方に位置している。また、図４（ｂ）、（ｃ）に示すように、フレキシブル基板５０の第２面側５０ｂにおいて、帯状部分５３には導電パターン５７に繋がるグランド配線５７ａが形成されており、かかるグランド配線５７ａを介して、導電パターン５７にはグランド電位が印加される。
【００４１】
このように構成した場合も、フレキシブル基板５０の第２矩形部分５４には駆動用ＩＣ４１と平面視で重なる電磁シールド用の導電パターン５７が形成されているため、駆動用ＩＣ４１から外部への電磁波ノイズの放射や、外部から駆動用ＩＣ４１への電磁波ノイズの侵入を防止することができる。また、かかる電磁波ノイズ対策を行なうにあたって、本形態では、素子基板１０に接続されたフレキシブル基板５０の一部を利用しているため、新たな部材を追加する必要がないなど、実施の形態１と同様な効果を奏する。
【００４２】
［実施の形態３］
図５（ａ）、（ｂ）、（ｃ）、（ｄ）は、本発明の実施の形態３に係る電気光学装置に用いた電気光学パネルの構成を示す説明図、フレキシブル基板を第２面側からみた説明図、フレキシブル基板の断面図、および素子基板の張り出し部分周辺の断面図である。なお、図５（ｂ）では、フレキシブル基板５０の第１面側５０ａに配線５９が形成されているので、配線５９については点線で示してある。なお、本形態の基本的な構成は、実施の形態１、２と同様である。従って、本形態の電気光学装置を説明するにあたっては、全体構成については図２を参照して説明するとともに、実施の形態１と共通する部分には、同一の符号を付してそれらの説明を省略する。
【００４３】
図２（ａ）、（ｂ）および図５（ａ）、（ｂ）、（ｄ）に示すように、本形態の電気光学装置１００でも、実施の形態１、２と同様、電気光学パネル１００ｐを構成する素子基板１０の表面側１０ａにおいて、張り出し部分１１には駆動用ＩＣ４１がＣＯＧ実装されており、パッド１８の形成領域に対してフレキシブル基板５０が接続されている。フレキシブル基板５０は、第１矩形部分５１（裏面側重なり部分）から連結部分５２が延在し、連結部分５２の先端部分から帯状部分５３が延在している。また、フレキシブル基板５０では、連結部分５２から、第１矩形部分５１とは反対側に第２矩形部分５４（表面側重なり部分）が延在している。
【００４４】
第２矩形部分５４には、その略全体にわたって、導電パターン５７がベタに形成されており、導電パターン５７は、素子基板１０の表面側１０ａにおいて、駆動用ＩＣ４１の実装領域に対して平面視で重なっている。図５（ｃ）に示すように、導電パターン５７は、実施の形態２と同様、端子５８や配線５９より第２面側５０ｂで端子５８や配線５９とは別層に形成されている。このため、図５（ｄ）に示すように、フレキシブル基板５０を素子基板１０に接続した状態では、導電パターン５７は、第２矩形部分５４において駆動用ＩＣ４１が位置する方に位置している。
【００４５】
本形態では、さらに、第１矩形部分５１にも、その略全体にわたって、導電パターン５６（第２導電パターン）がベタに形成されている。また、導電パターン５６は、導電パターン５７と一体に形成されており、端子５８や配線５９より第２面側５０ｂで端子５８や配線５９とは別層に形成されている。また、導電パターン５６は、連結部分５２や帯状部分５３にも形成されている。このため、導電パターン５６のうち、帯状部分５３に形成されている部分をグランド配線として利用し、導電パターン５６、５７にグランド電位を印加することができる。
【００４６】
このように構成した場合も、フレキシブル基板５０の第２矩形部分５４には駆動用ＩＣ４１と平面視で重なる電磁シールド用の導電パターン５７が形成されているため、駆動用ＩＣ４１から外部への電磁波ノイズの放射や、外部から駆動用ＩＣ４１への電磁波ノイズの侵入を防止することができるなど、実施の形態１と同様な効果を奏する。
【００４７】
また、導電パターン５６は、素子基板１０の裏面側１０ｂにおいて、駆動用ＩＣ４１の実装領域に対して平面視で重なっているため、駆動用ＩＣ４１から素子基板１０の裏面側１０ｂへの電磁波ノイズの放射などを防止することもできる。さらに、素子基板１０の裏面側１０ｂから駆動用ＩＣ４１に光が侵入することを防止することができるので、駆動用ＩＣ４１の誤動作を防止することができる。
【００４８】
［実施の形態４］
次に、素子基板１０に対するフレキシブル基板５０の接続構造が実施の形態１〜３と相違する例を実施の形態４〜６として説明する。但し、以下に説明する実施の形態４〜６も、基本的な構成が実施の形態１〜３と共通するので、共通する部分には、同一の符号を付して図示し、それらの説明を省略する。
【００４９】
図６（ａ）、（ｂ）、（ｃ）は、本発明の実施の形態４に係る電気光学装置において、電気光学パネルにフレキシブル基板を接続した状態の説明図、フレキシブル基板の表面側重なり部分を素子基板上に平伏させる前の状態を示す説明図、およびフレキシブル基板を抜き出して示す説明図である。図７（ａ）、（ｂ）、（ｃ）、（ｄ）は、本発明の実施の形態４に係る電気光学装置に用いた電気光学パネルの構成を示す説明図、フレキシブル基板を第１面側からみた説明図、フレキシブル基板の断面図、および素子基板の張り出し部分周辺の断面図である。
【００５０】
図６（ａ）、（ｂ）および図７（ａ）、（ｂ）、（ｄ）に示すように、本形態の電気光学装置１００でも、実施の形態１と同様、電気光学パネル１００ｐを構成する素子基板１０の表面側１０ａにおいて、張り出し部分１１には駆動用ＩＣ４１がＣＯＧ実装されており、パッド１８の形成領域に対してフレキシブル基板５０が接続されている。フレキシブル基板５０は、第１矩形部分５１（裏面側重なり部分）から連結部分５２が延在し、連結部分５２の先端部分から帯状部分５３が延在している。また、フレキシブル基板５０では、連結部分５２から、第１矩形部分５１とは反対側に第２矩形部分５４（表面側重なり部分）が延在している。ここで、第２矩形部分５４には、その略全体にわたって、導電パターン５７がベタに形成されている。
【００５１】
図７（ｃ）に示すように、フレキシブル基板５０では、フィルム状基材５０１の第１面側５０ａに、銅箔や銅膜などからなる複数の配線５９、端子５８および導電パターン５７が同層に形成され、配線５９や導電パターン５７の上層には絶縁保護膜５０２が形成されている。
【００５２】
図６（ｂ）、（ｃ）および図７（ｄ）に示すように、本形態では、実施の形態１〜３と違って、第１矩形部分５１の端部が、駆動用ＩＣ４１が実装されている側に向くようにして、第１矩形部分５１に形成された端子５８と素子基板１０のパッド１８とが接続されるとともに、一点鎖線で示す２本の谷折線Ｌ１１（図７（ｂ）参照）に沿って、第１面側５０ａが内側になるように折り曲げられる。従って、電子部品６１は、素子基板１０の裏面側１０ｂにおいて素子基板１０が位置する側に向く。また、素子基板１０の表面側では、導電パターン５７が第２矩形部分５４において駆動用ＩＣ４１が位置する方に位置している。
【００５３】
このように構成した場合も、フレキシブル基板５０の第２矩形部分５４には駆動用ＩＣ４１と平面視で重なる電磁シールド用の導電パターン５７が形成されているため、駆動用ＩＣ４１から外部への電磁波ノイズの放射や、外部から駆動用ＩＣ４１への電磁波ノイズの侵入を防止することができるなど、実施の形態１と同様な効果を奏する。
【００５４】
［実施の形態５］
図８（ａ）、（ｂ）、（ｃ）、（ｄ）は、本発明の実施の形態５に係る電気光学装置に用いた電気光学パネルの構成を示す説明図、フレキシブル基板を第１面側からみた説明図、フレキシブル基板の断面図、および素子基板の張り出し部分周辺の断面図である。なお、図８（ｂ）では、フレキシブル基板の第２面側に導電パターンが形成されているので、導電パターンについては点線で示してある。
【００５５】
図２（ａ）、（ｂ）および図８（ａ）、（ｂ）、（ｄ）に示すように、本形態の電気光学装置１００でも、実施の形態１と同様、電気光学パネル１００ｐを構成する素子基板１０の表面側１０ａにおいて、張り出し部分１１には駆動用ＩＣ４１がＣＯＧ実装されており、パッド１８の形成領域に対してフレキシブル基板５０が接続されている。フレキシブル基板５０は、第１矩形部分５１（裏面側重なり部分）から連結部分５２が延在し、連結部分５２の先端部分から帯状部分５３が延在している。また、フレキシブル基板５０では、連結部分５２から、第１矩形部分５１とは反対側に第２矩形部分５４（表面側重なり部分）が延在している。ここで、第２矩形部分５４には、その略全体にわたって、導電パターン５７がベタに形成されている。
【００５６】
図８（ｃ）に示すように、フレキシブル基板５０では、フィルム状基材５０１の第１面側５０ａに、銅箔や銅膜などによって複数の配線５９および端子５８が形成されており、配線５９の上層側には絶縁保護膜５０２が形成されている。但し、本形態では、実施の形態４と違って、導電パターン５７は、端子５８や配線５９より第２面側５０ｂで端子５８や配線５９とは別層に形成されている。すなわち、フレキシブル基板５０において、フィルム状基材５０１の第２面側５０ｂに、銅箔や銅膜などによって導電パターン５７が形成され、その上層側には絶縁保護膜５０３が形成されている。このため、図８（ｄ）に示すように、フレキシブル基板５０を素子基板１０に接続した状態では、導電パターン５７は、第２矩形部分５４において駆動用ＩＣ４１が位置する側とは反対側に位置している。
【００５７】
このように構成した場合も、フレキシブル基板５０の第２矩形部分５４には駆動用ＩＣ４１と平面視で重なる電磁シールド用の導電パターン５７が形成され、かかる導電パターン５７には、グランド配線５７ａを介してグランド電位を印加することができるため、駆動用ＩＣ４１から外部への電磁波ノイズの放射や、外部から駆動用ＩＣ４１への電磁波ノイズの侵入を防止することができるなど、実施の形態１、４と同様な効果を奏する。
【００５８】
［実施の形態６］
図９（ａ）、（ｂ）、（ｃ）、（ｄ）は、本発明の実施の形態６に係る電気光学装置に用いた電気光学パネルの構成を示す説明図、フレキシブル基板を第１面側からみた説明図、フレキシブル基板の断面図、および素子基板の張り出し部分周辺の断面図である。なお、図９（ｂ）では、フレキシブル基板の第２面側に導電パターン５６、５７が形成されているので、導電パターン５６、５７については点線で示してある。
【００５９】
図２（ａ）、（ｂ）および図９（ａ）、（ｂ）、（ｄ）に示すように、本形態の電気光学装置１００でも、実施の形態１と同様、電気光学パネル１００ｐを構成する素子基板１０の表面側１０ａにおいて、張り出し部分１１には駆動用ＩＣ４１がＣＯＧ実装されており、パッド１８の形成領域に対してフレキシブル基板５０が接続されている。フレキシブル基板５０は、第１矩形部分５１（裏面側重なり部分）から連結部分５２が延在し、連結部分５２の先端部分から帯状部分５３が延在している。また、フレキシブル基板５０では、連結部分５２から、第１矩形部分５１とは反対側に第２矩形部分５４（表面側重なり部分）が延在している。ここで、第２矩形部分５４には、その略全体にわたって、導電パターン５７がベタに形成されている。
【００６０】
図９（ｃ）に示すように、導電パターン５７は、実施の形態５と同様、端子５８や配線５９より第２面側５０ｂで端子５８や配線５９とは別層に形成されている。すなわち、フレキシブル基板５０において、フィルム状基材５０１の第２面側５０ｂに、銅箔や銅膜などによって導電パターン５７が形成され、その上層側には絶縁保護膜５０３が形成されている。このため、導電パターン５７は、第２矩形部分５４において駆動用ＩＣ４１が位置する方に位置している。
【００６１】
本形態では、さらに、第１矩形部分５１にも、その略全体にわたって、導電パターン５６がベタに形成されている。ここで、導電パターン５６は、導電パターン５７と一体に形成されており、端子５８や配線５９より第２面側５０ｂで端子５８や配線５９とは別層に形成されている。また、導電パターン５６は、連結部分５２や帯状部分５３にも形成されている。このため、導電パターン５６のうち、帯状部分５３に形成されている部分をグランド配線として利用し、導電パターン５６、５７にグランド電位を印加することができる。
【００６２】
このように構成した場合も、フレキシブル基板５０の第２矩形部分５４には駆動用ＩＣ４１と平面視で重なる電磁シールド用の導電パターン５７が形成されているため、駆動用ＩＣ４１から外部への電磁波ノイズの放射や、外部から駆動用ＩＣ４１への電磁波ノイズの侵入を防止することができるなど、実施の形態１と同様な効果を奏する。
【００６３】
また、導電パターン５６は、素子基板１０の裏面側１０ｂにおいて、駆動用ＩＣ４１の実装領域に対して平面視で重なっているため、駆動用ＩＣ４１から素子基板１０の裏面側１０ｂへの電磁波ノイズの放射などを防止することもできる。さらに、素子基板１０の裏面側１０ｂから駆動用ＩＣ４１に光が侵入することを防止することができるので、駆動用ＩＣ４１の誤動作を防止することができる。
【００６４】
さらに、導電パターン５６は、配線５９により外側で配線５９の形成領域を覆っているため、配線５９から外部への電磁波ノイズの放射や、外部から配線５９への電磁波ノイズの侵入を防止することもできる。
【００６５】
［実施の形態７］
図１０（ａ）、（ｂ）、（ｃ）は、本発明の実施の形態７に係る電気光学装置において、電気光学パネルにフレキシブル基板を接続した状態の説明図、フレキシブル基板の表面側重なり部分を素子基板上に平伏させる前の状態を示す説明図、およびフレキシブル基板を抜き出して示す説明図である。なお、本形態の基本的な構成は、実施の形態１〜６と同様であるため、共通する部分には、同一の符号を付してそれらの説明を省略する。
【００６６】
実施の形態１〜６では、フレキシブル基板５０の第２矩形部分５４を素子基板１０に対して接着するにあたって、第２矩形部分５４の角部分５４ｅ、５４ｆ（図２および図６参照）を素子基板１０に対して接着したが、本形態では、図１０（ａ）、（ｂ）、（ｃ）に示すように、第２矩形部分５４の自由端側の端部５４ｂに、素子基板１０の裏面側１０ｂに折り曲げられて、その裏面側１０ｂに接着された接着用折曲部分５４ｃが形成されている。このため、第２矩形部分５４が素子基板１０の表面側１０ａで浮き上がることを確実に防止することができる。
【００６７】
なお、図１０には、実施の形態１〜３に係る電気光学装置１００に用いたフレキシブル基板５０に接着用折曲部分５４ｃを形成した例を示したが、実施の形態４〜６に係る電気光学装置１００に用いたフレキシブル基板５０に接着用折曲部分５４ｃを形成してもよい。また、第２矩形部分５４を素子基板１０に接着固定するにあたっては、接着用折曲部分５４ｃを素子基板１０に接着固定するとともに、第２矩形部分５４の角部分も素子基板１０に接着固定してもよい。近年、照明装置電気光学パネル１００ｐと背面側のバックライト装置７０との間におけるノイズあるいは静電気による影響を相互に遮蔽するために、素子基板１０の裏面側１０ｂに透明導電膜を形成する場合がある。そのような場合において、接着用折曲部分にまで導電パターン５７を延在しておき導電接着剤で接着すれば、透明導電膜をグランド電位とすることができ、ノイズあるいは静電気による影響をより確実に防止することができる。
【００６８】
［実施の形態８］
図１１（ａ）、（ｂ）は、本発明の実施の形態８に係る電気光学装置の説明図およびその要部断面図である。なお、本形態の基本的な構成は、実施の形態１〜６と同様であるため、共通する部分には、同一の符号を付してそれらの説明を省略する。
【００６９】
図１１（ａ）、（ｂ）に示すように、本形態の電気光学装置１００では、電気光学パネル１００ｐが筐体８０に収容されている。筐体８０は、矩形箱状の下ケース８１と、開口８２ａを備えた蓋状の上ケース８２とからなり、フレキシブル基板５０の帯状部分５３は、上ケース８２の側面に形成された切り欠き８２５から外側に引き出されている。
【００７０】
このように構成した電気光学装置１００では、素子基板１０の表面側１０ａにおいて駆動用ＩＣ４１が実装されている部分は、筐体８０に用いた上ケース８２の上板部８２０で覆われ、駆動用ＩＣ４１と上板部８２０との間に隙間が空いている。
【００７１】
本形態では、駆動用ＩＣ４１と上板部８２０との隙間にフレキシブル基板５０の第２矩形部分５４が配置され、隙間８３を埋めている。このため、素子基板１０において駆動用ＩＣ４１が実装されている張り出し部分１１は、第２矩形部分５４を介して上板部８２０に支持されている。このため、張り出し部分１１は、基板が１枚で対向基板２０から張り出した構造になっているので、強度が小さいが、張り出し部分１１は、第２矩形部分５４を介して上板部８２０に支持され、補強されているため、張り出し部分１１を衝撃から保護することができる。
【００７２】
［実施の形態９］
図１２は、本発明の実施の形態９に係る電気光学装置の要部断面図である。なお、本形態の基本的な構成は、実施の形態１〜６と同様であるため、共通する部分には、同一の符号を付してそれらの説明を省略する。
【００７３】
実施の形態１〜８では、素子基板１０において駆動回路部が駆動用ＩＣ４１によって構成されている例を説明したが、画素トランジスタとしてポリシリコンを能動層として用いた場合、図１２に示すように、画素トランジスタの製造工程を利用して素子基板１０上に駆動回路部４０が形成されることもある。このような場合も、実施の形態１〜８と同様、フレキシブル基板５０の第２矩形部分５４に形成した導電パターン５７によって、駆動回路部４０から外部への電磁波ノイズの放射や、外部から駆動回路部４０への電磁波ノイズの侵入を防止してもよい。
【００７４】
［有機エレクトロルミネッセンス装置への適用例］
上記実施の形態１〜９では、本発明を液晶装置に適用した例を説明したが、図１３に示す有機エレクトロルミネッセンス装置に本発明を適用してもよい。なお、以下の説明では、実施の形態１〜９との対応が分りやすいように、対応する部分には、可能な限り、同一に符号を付して説明する。
【００７５】
図１３は、本発明を適用した電気光学装置（有機エレクトロルミネッセンス装置）の電気的な構成を示す等価回路図である。図１３に示す電気光学装置１００は、有機エレクトロルミネッセンス装置であり、電気光学パネル１００ｐを構成する素子基板１０上には、複数の走査線１３ａと、走査線１３ａに対して交差する方向に延びる複数のデータ線１６ａと、走査線１３ａに対して並列して延在する複数の電源線１３ｅとを有している。また、素子基板１０において、矩形形状の画素領域１００ｂには複数の画素１００ａがマトリクス状に配列されている。データ線１６ａにはデータ線駆動回路４２が接続され、走査線１３ａには走査線駆動回路４３が接続されている。複数の画素１００ａには、走査線１３ａを介して走査信号がゲート電極に供給されるスイッチング用の薄膜トランジスタ１５ｂと、このスイッチング用の薄膜トランジスタ１５ｂを介してデータ線１６ａから供給される画素信号を保持する保持容量１７と、保持容量１７によって保持された画素信号がゲート電極に供給される駆動用の薄膜トランジスタ１５ｃと、この薄膜トランジスタ１５ｃを介して電源線１３ｅに電気的に接続したときに電源線１３ｅから駆動電流が流れ込む画素電極１９（陽極層）と、この画素電極１９と陰極層との間に有機機能層が挟まれた有機エレクトロルミネッセンス素子１４とが形成されている。
【００７６】
かかる構成によれば、走査線１３ａが駆動されてスイッチング用の薄膜トランジスタ１５ｂがオンになると、そのときのデータ線１６ａの電位が保持容量１７に保持され、保持容量１７が保持する電荷に応じて、駆動用の薄膜トランジスタ１５ｃのオン・オフ状態が決まる。そして、駆動用の薄膜トランジスタ１５ｃのチャネルを介して、電源線１３ｅから画素電極１９に電流が流れ、さらに有機機能層を介して対極層に電流が流れる。その結果、有機エレクトロルミネッセンス素子１４は、これを流れる電流量に応じて発光する。従って、有機エレクトロルミネッセンス装置の場合、バックライト装置を必要としない。
【００７７】
このように構成した電気光学装置１００において、複数の画素１００ａは各々、赤色（Ｒ）、緑色（Ｇ）、青色（Ｂ）に対応し、赤色（Ｒ）、緑色（Ｇ）、青色（Ｂ）の３つの画素１００ａによって１つのピクセルを構成している。かかる色は、有機エレクトロルミネッセンス素子１４から出射される色によって規定される。また、有機エレクトロルミネッセンス素子１４が、白色光、または赤色（Ｒ）、緑色（Ｇ）、青色（Ｂ）の混合色光が出射される場合、画素１００ａが赤色（Ｒ）、緑色（Ｇ）、青色（Ｂ）のいずれに対応するかは、素子基板１０に対向配置された対向基板（図示せず）に形成されたカラーフィルタ層によって規定される。なお、図１３に示す構成では、電源線１３ｅは走査線１３ａと並列していたが、電源線１３ｅがデータ線１６ａに並列している構成を採用してもよい。また、図１３に示す構成では、電源線１３ｅを利用して保持容量１７を構成していたが、電源線１３ｅとは別に容量線を形成し、かかる容量線によって保持容量１７を構成してもよい。
【００７８】
［電子機器への搭載例］
次に、上述した実施形態に係る電気光学装置１００を適用した電子機器について説明する。図１４（ａ）に、電気光学装置１００を備えたモバイル型のパーソナルコンピュータの構成を示す。パーソナルコンピュータ２０００は、表示ユニットとしての電気光学装置１００と本体部２０１０を備える。本体部２０１０には、電源スイッチ２００１及びキーボード２００２が設けられている。図１４（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図１４（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００７９】
なお、電気光学装置１００が適用される電子機器としては、図１４に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１００が適用可能である。
【図面の簡単な説明】
【００８０】
【図１】本発明を適用した電気光学装置（液晶装置）の電気的構成を示すブロック図である。
【図２】（ａ）、（ｂ）、（ｃ）は、本発明の実施の形態１に係る電気光学装置において、電気光学パネルにフレキシブル基板を接続した状態の説明図、フレキシブル基板の表面側重なり部分を素子基板上に平伏させる前の状態を示す説明図、およびフレキシブル基板を抜き出して示す説明図である。
【図３】（ａ）、（ｂ）、（ｃ）、（ｄ）は、本発明の実施の形態１に係る電気光学装置に用いた電気光学パネルの構成を示す説明図、フレキシブル基板を第２面側からみた説明図、フレキシブル基板の断面図、および素子基板の張り出し部分周辺の断面図である。
【図４】（ａ）、（ｂ）、（ｃ）、（ｄ）は、本発明の実施の形態２に係る電気光学装置に用いた電気光学パネルの構成を示す説明図、フレキシブル基板を第２面側からみた説明図、フレキシブル基板の断面図、および素子基板の張り出し部分周辺の断面図である。
【図５】（ａ）、（ｂ）、（ｃ）、（ｄ）は、本発明の実施の形態３に係る電気光学装置に用いた電気光学パネルの構成を示す説明図、フレキシブル基板を第２面側からみた説明図、フレキシブル基板の断面図、および素子基板の張り出し部分周辺の断面図である。
【図６】（ａ）、（ｂ）、（ｃ）は、本発明の実施の形態４に係る電気光学装置において、電気光学パネルにフレキシブル基板を接続した状態の説明図、フレキシブル基板の表面側重なり部分を素子基板上に平伏させる前の状態を示す説明図、およびフレキシブル基板を抜き出して示す説明図である。
【図７】（ａ）、（ｂ）、（ｃ）、（ｄ）は、本発明の実施の形態４に係る電気光学装置に用いた電気光学パネルの構成を示す説明図、フレキシブル基板を第１面側からみた説明図、フレキシブル基板の断面図、および素子基板の張り出し部分周辺の断面図である。
【図８】（ａ）、（ｂ）、（ｃ）、（ｄ）は、本発明の実施の形態５に係る電気光学装置に用いた電気光学パネルの構成を示す説明図、フレキシブル基板を第１面側からみた説明図、フレキシブル基板の断面図、および素子基板の張り出し部分周辺の断面図である。
【図９】（ａ）、（ｂ）、（ｃ）、（ｄ）は、本発明の実施の形態６に係る電気光学装置に用いた電気光学パネルの構成を示す説明図、フレキシブル基板を第１面側からみた説明図、フレキシブル基板の断面図、および素子基板の張り出し部分周辺の断面図である。
【図１０】（ａ）、（ｂ）、（ｃ）は、本発明の実施の形態７に係る電気光学装置において、電気光学パネルにフレキシブル基板を接続した状態の説明図、フレキシブル基板の表面側重なり部分を素子基板上に平伏させる前の状態を示す説明図、およびフレキシブル基板を抜き出して示す説明図である。
【図１１】（ａ）、（ｂ）は、本発明の実施の形態８に係る電気光学装置の説明図およびその要部断面図である。
【図１２】本発明の実施の形態９に係る電気光学装置の要部断面図である。
【図１３】本発明を適用した電気光学装置（有機エレクトロルミネッセンス装置）の電気的構成を示すブロック図である。
【図１４】本発明を適用した電気光学装置を備えた電子機器の説明図である。
【符号の説明】
【００８１】
１０・・素子基板、１０ａ・・素子基板の表面側、１０ｂ・・素子基板の裏面側、２０・・対向基板、２０ａ・・段部、４０・・駆動回路部、４１・・駆動用ＩＣ（駆動回路部）、５０・・フレキシブル基板、５０ａ・・フレキシブル基板の第１面側、５０ｂ・・フレキシブル基板の第２面側、５１・・フレキシブル基板の第１矩形部分（裏面側重なり部分）、５４・・フレキシブル基板の第２矩形部分（表面側重なり部分）、５４ｃ・・接着用折曲部分、５６・・導電パターン（第２導電パターン）、５７・・導電パターン（第１導電パターン）、５８・・端子、５９・・配線、５７ａ、５９ａ・・グランド配線、１００・・電気光学装置、１００ａ・・画素、１００ｐ・・電気光学パネル
【図１】
2009192976.tif 000003
【図２】
2009192976.tif 000004
【図３】
2009192976.tif 000005
【図４】
2009192976.tif 000006
【図５】
2009192976.tif 000007
【図６】
2009192976.tif 000008
【図７】
2009192976.tif 000009
【図８】
2009192976.tif 000010
【図９】
2009192976.tif 000011
【図１０】
2009192976.tif 000012
【図１１】
2009192976.tif 000013
【図１２】
2009192976.tif 000014
【図１３】
2009192976.tif 000015
【図１４】
2009192976.tif 000016